(57)【要約】【課題】固有ＩＤがそれぞれ与えられたエアコンに受信器モジュール部を接続して同一の電話線に接続された多数台のエアコンを識別することによって遠隔の制御者が公衆電話交換網を利用して多数台のエアコンの一部または全部を制御できるようにする。【解決手段】多数台のエアコンの制御／モニタリング用制御プログラムを駆動する電子機器２００とシリアル接続された送信モジュール部３１０が、電子機器２００から受信した制御命令信号を２重トーン多周波数（ＤＴＭＦ）信号に変換した後、公衆電話交換網を通じて該当エアコンに接続された受信モジュール部５００に伝送しエアコンの遠隔制御を可能にすることにより、大型建物内の多数台のエアコンを１回の操作で一部または全部制御することができるようにし、遠隔制御の便利性および効率性を向上させ、エアコンの制御管理にかかる時間・人力・コストを節減する。【選択図】　　　図２
2004135266.tif 000002
【特許請求の範囲】
【請求項１】
建物内に設置された多数台のエアコンを遠隔地から制御できるようにする制御プログラムを駆動する電子機器と、
前記制御プログラムを通じて入力された制御命令信号を２重トーン多周波数（ＤＴＭＦ）信号に変換して電話網に送出する送信モジュール部と、
前記送信モジュール部から送出された前記２重トーン多周波数信号を受信して該当エアコンに伝送する受信モジュール部と、
を含めて構成することを特徴とする公衆電話交換網を利用したエアコン制御システム。
【請求項２】
前記電子機器は、前記エアコンの状態データをディスプレイする画面表示部を含み、
前記制御プログラムは、グラフィックユーザインターフェース（ＧＵＩ）により具現して前記画面表示部にディスプレイすることを特徴とする請求項１に記載の公衆電話交換網を利用したエアコン制御システム。
【請求項３】
前記送信モジュール部は、
前記電子機器とシリアル通信方式で前記電子機器から入力された前記制御命令信号を受信するシリアル通信接続部と、
前記シリアル通信接続部から受信した前記制御命令信号を２重トーン多周波数信号に変換する信号変換部と、
前記信号変換部で変換された前記２重トーン多周波数信号を外部送出するために前記電話網と接続する電話線接続部と、
前記シリアル通信接続部から受信した前記制御命令信号を前記公衆電話交換網を通じて送出するように信号流れを制御するマイコン部と、
を含めて構成することを特徴とする請求項１に記載の公衆電話交換網を利用したエアコン制御システム。
【請求項４】
前記制御命令信号は、制御しようとするエアコンに与えられた固有ＩＤを内蔵する制御対象パケットと、前記エアコンの運転モード、設定温度などの制御内容を内蔵する制御内容パケットと、を含めてなることを特徴とする請求項３に記載の公衆電話交換網を利用したエアコン制御システム。
【請求項５】
空気調和のために室内に設置される多数台のエアコンと、
２重トーン多周波数（ＤＴＭＦ）信号を生成する多数のボタンを操作して前記多数台のエアコンの制御命令を入力する電話機と、
公衆電話交換網を通じて前記電話機から送出された前記２重トーン多周波数信号を受信して該当エアコンに伝送する受信モジュール部と、
を含めて構成することを特徴とする公衆電話交換網を利用したエアコン制御システム。
【請求項６】
前記受信モジュール部は、
前記送信モジュール部または前記電話機が送信した前記２重トーン多周波数信号を受信するように前記公衆電話交換網と接続する電話線接続部と、
前記電話線接続部を通じて受信された前記２重トーン多周波数信号を前記エアコンが認識できる制御命令信号にデコードする信号デコーディング部と、
前記信号デコーディング部でデコードされた制御命令信号を前記エアコンに伝送すると同時に、前記制御命令信号に応じて動作した前記エアコンの状態データを前記電話線接続部に出力するマイコン部と、
を含めて構成することを特徴とする請求項１または５に記載の公衆電話交換網を利用したエアコン制御システム。
【請求項７】
前記受信モジュール部は、前記制御命令信号に応じて動作したエアコンの状態データを音声データに変換して前記電話線接続部に出力する自動応答部をさらに含み、
前記マイコン部は、前記制御命令信号を送信した送信側が前記電話機と判別された場合、前記エアコンの状態データを前記自動応答部に出力するように構成したことを特徴とする請求項６に記載の公衆電話交換網を利用したエアコン制御システム。
【請求項８】
前記受信モジュール部は、接続された前記エアコンに与えられた固有ＩＤを設定・入力するＤＩＰスイッチをさらに含み、
前記マイコン部は、前記制御命令信号に内蔵された前記エアコンの固有ＩＤと前記ＤＩＰスイッチに設定・入力されたＩＤとが同一の場合、前記制御命令信号を前記エアコンに伝送するように構成することを特徴とする請求項６に記載の公衆電話交換網を利用したエアコン制御システム。
【請求項９】
電子機器または電話機を利用して、制御しようとするエアコンと接続する電話番号および制御命令信号を入力する第１段階と、
前記第１段階で入力された前記制御命令信号を２重トーン多周波数信号に変換した後、公衆電話交換網を通じて前記電話番号に送信する第２段階と、
前記第２段階で送信された前記２重トーン多周波数信号を前記エアコンと接続した受信モジュール部で受信する第３段階と、
前記第３段階で受信された前記２重トーン多周波数信号が制御命令信号にデコードされて前記エアコンに伝送される第４段階と、
前記第４段階で伝送された前記制御命令信号に応じて前記エアコンの制御動作が行われた後、前記エアコンの状態データを前記電子機器または前記電話機に送信する第５段階と、
を有することを特徴とする公衆電話交換網を利用したエアコン制御システムの運用方法。
【請求項１０】
前記第３段階は、
前記２重トーン多周波数信号の最初の受信時からタイマーが作動し、前記タイマーで測定された前記２重トーン多周波数信号の未受信状態が一定時間を超えるとタイムアウトエラーを発生させ、再伝送を要請する第１過程と、
前記２重トーン多周波数信号が受信される中間時点と完了時点でチェックサムを確認して伝送エラーをチェックする第２過程と、
を有することを特徴とする請求項９に記載の公衆電話交換網を利用したエアコン制御システムの運用方法。
【請求項１１】
前記第４段階は、
前記エアコンに与えられた固有ＩＤが前記第１段階で入力された前記制御命令信号に内蔵された前記エアコンの固有ＩＤと一致するか否か比較する第１過程と、
前記比較結果一致すると前記２重トーン多周波数信号を制御命令信号にデコードする第２過程と、
前記制御命令信号を該当エアコンに伝送する第３過程と、
を有することを特徴とする請求項９に記載の公衆電話交換網を利用したエアコン制御システムの運用方法。
【請求項１２】
前記第５段階は、
前記エアコンが前記制御命令信号に応じて制御動作を行う第１過程と、
前記エアコンが状態データを生成して前記受信モジュール部に伝送する第２過程と、
前記受信モジュール部が伝送エラーをチェックしながら前記状態データを受信し、これを前記電子機器または前記電話機に送信する第３過程と、
前記電子機器または前記電話機が前記状態データを受信し、これを外部に出力する第４過程、
を有することを特徴とする請求項９に記載の公衆電話交換網を利用したエアコン制御システムの運用方法。
【発明の詳細な説明】
【０００１】
【発明の属する技術分野】
本発明は、公衆電話交換網を利用したエアコン制御システムおよびその動作方法に関し、特に、多数台のエアコンに固有ＩＤを設定・入力した受信器モジュール部をそれぞれ接続して同一の電話線を使用する多数台のエアコンを識別し、遠隔制御者が公衆電話交換網を通じて多数台のエアコンの一部または全部を制御できるようにした、公衆電話交換網を利用したエアコン制御システムおよびその動作方法に関する。
【０００２】
【従来の技術】
一般的に、エアコンは室外機および室内機から構成され、室外機および室内機を循環する冷媒が圧縮、凝縮、膨張、蒸発の熱サイクルを形成しながら冷房または暖房作用を行い、室内空気を調節する。
【０００３】
大型建物または学校などのように冷／暖房における中央管理の効率化を要求する場合、建物内に各部屋ごとの室内機および室外機から構成されたエアコンを設置し、また、一般の家庭でも各部屋ごとにエアコンを設置するため、そのエアコン管理者は各部屋まで移動して、制御命令を入力したり制御状態を確認したりしてきた。
【０００４】
そこで、最近では、多数台のエアコンの設置およびメンテナンスにかかるコストを節減するためにマルチエアコンシステムを構築して室内の空気を調節するに至った。マルチエアコンシステムとは、各部屋ごとに設置される多数台の室内機と、これら多数台の室内機の動作状態を感知し、それらに供給される冷媒の循環を制御する一台の室外機とから構成されるエアコンシステムのことであって、中央管理が要求される大型の建物に普及しつつある。勿論、このようなマルチエアコンシステムが建物内に設置されなかった場合は、建物内の各部屋ごとに室内機および室外機から構成される通常のエアコンを個々に設置し、空気調節が行われる。
【０００５】
最近開発されたホームネットワークシステムは、家庭内に構築されたネットワークに多数の家電機器を接続し、それら多数の家電機器を制御できるようなデータ処理能力を有するサーバ用家電機器をネットワークに接続することによって、ネットワークに接続された全ての家電機器を遠隔制御できるようにしている。また、サーバ用家電機器を外部インターネット網と接続しているため、遠隔地から家庭内の家電機器を制御しようとする遠隔制御者は、インターネット網を通じてサーバ用家電機器と接続して制御命令を入力したり、動作状態を確認することができる。
【０００６】
しかし、このようなホームネットワークシステムは、超高速インターネット網が地域的に普及していることや、家庭または建物内にホームネットワークが構築されていることを前提条件としているため、インターネット網が広く普及していなかった地域にある大型の建物またはマンションなどに適用することに限界があった。
【０００７】
したがって、図１に示すように、従来のマルチエアコンシステムまたは各部屋ごとに個別的に設置された多数台のエアコンを制御するために、既に構築され、経済性および安全性が保障された公衆電話交換網（Ｐｕｂｌｉｃ　Ｓｗｉｔｃｈｅｄ　Ｔｅｌｅｐｈｏｎｅ　Ｎｅｔｗｏｒｋ：ＰＳＴＮ）を利用したエアコン制御システムが開発された。これは、エアコン１０が電話端子に接続され、遠隔制御者がエアコン１０の設置された建物または家庭に電話をかけた後、電話機２０の数字ボタンを操作することによってオン／オフなどの簡単な制御命令を入力すると、この制御命令信号が公衆電話交換網（ＰＳＴＮ）を通じてエアコン１０に伝送され、遠隔制御が行なわれる構造となっている。
【０００８】
しかし、従来の公衆電話交換網を利用したエアコン制御システムでは、遠隔制御者が制御命令を入力する制御手段が電話機２０に限定されていたため、電話機上の数字ボタンの操作順序のみによって識別できる制御命令は極めて単純で、複雑な制御命令の入力が不可能であった。また、従来の公衆電話交換網（ＰＳＴＮ）を利用したエアコン制御システムは、１つの電話番号で１台のエアコンしか制御できなかったため、１つの電話番号で共通して使用する同一建物内の多数台のエアコンを同時制御することが不可能であった。
【０００９】
【発明が解決しようとする課題】
本発明は、前記の従来技術の問題点を解決するために案出されたものであり、遠隔地から公衆電話交換網を通じて１つの電話番号により接続された多数台のエアコンの一部または全部を制御できるよう、多数台のエアコンと接続された受信モジュール部を電話端子と接続し、電子機器または電話機を利用してそれぞれのエアコンに与えられた固有ＩＤを選択することによって遠隔地から多数台のエアコンを同時制御できるようにしてエアコンの制御管理にかかる時間およびコストを節減し、制御の便宜を図るとともに、エアコン制御用プログラムの内蔵された電子機器を操作してエアコンのさまざまな細部にわたる機能まで制御できるようにした、公衆電話交換網を利用したエアコン制御システムおよびその運用方法を提供することにその課題がある。
【００１０】
【課題を解決するための手段】
前記課題を解決するために、本発明による公衆電話交換網を利用したエアコン制御システムは、建物内に設置された多数台のエアコンを遠隔地から制御できるようにする制御プログラムを駆動する電子機器と、制御プログラムを通じて入力された制御命令信号を２重トーン多周波数（ＤＴＭＦ：Ｄｕａｌ　Ｔｏｎｅ　Ｍｕｌｔｉｐｌｅ　Ｆｒｅｑｕｅｎｃｙ）信号に変換して電話網に送出する送信モジュール部と、その送信モジュール部から送出された２重トーン多周波数信号を受信して該当エアコンに伝送する受信モジュール部と、を含めて構成することを特徴とする。
【００１１】
さらに、本発明による公衆電話交換網を利用したエアコン制御システムは、空気調節のために室内に設置される多数台のエアコンと、２重トーン多周波数（ＤＴＭＦ）信号を生成するため多数のボタンを操作して多数台のエアコンの制御命令を入力し得る電話機と、公衆電話交換網を通じて電話機から送出された２重トーン多周波数信号を受信し、これを該当エアコンに伝送する受信モジュール部と、を含めて構成することを特徴とする。
【００１２】
また、本発明による公衆電話交換網を利用したエアコン制御システムの運用方法は、電子機器または電話機を通じて制御しようとするエアコンと接続された電話番号および制御命令信号を入力する第１段階と、この第１段階で入力された制御命令信号を２重トーン多周波数信号に変換した後、公衆電話交換網を通じて前記電話番号に送信する第２段階と、この第２段階で送信された２重トーン多周波数信号をエアコンと接続した受信モジュール部で受信する第３段階と、この第３段階で受信された２重トーン多周波数信号を制御命令信号にデコードしてエアコンに伝送する第４段階と、この第４段階で伝送された制御命令信号に応じてエアコンの制御動作が行われた後、エアコンの状態データが電子機器または電話機に送信される第５段階と、を有することを特徴とする。
【００１３】
【発明の実施の形態】
以下、本発明の好ましい実施例を添付図面を参照して詳細に説明する。
【００１４】
図２は、本発明の公衆電話交換網を利用したエアコン制御システムの全体構成図であり、図３は、本発明の公衆電話交換網を利用したエアコン制御システムの第１実施例の構成図である。
【００１５】
空気調節のために室内に設置される多数台のエアコン１００は、それぞれ配置された場所の電話端子に接続され、すなわち同一の電話線で物理的に接続網を構築し、１つの電話番号を共通に使用し、この電話端子は公衆電話交換網（ＰＳＴＮ）に接続される。
【００１６】
また、同一の電話線に接続された多数台のエアコン１００には、それぞれ相異なるＩＤが与えられて識別することができ、このためにＤＩＰスイッチ（Ｄｕａｌ　Ｉｎｌｉｎｅ　Ｐａｃｋａｇｅ　Ｓｗｉｔｃｈ）５４０を使用する。ＤＩＰスイッチ５４０とは、ディスクや印刷機などの周辺機器を適切に動作させるための環境設定用スイッチのことである。管理者によって相異なる固有ＩＤをそれぞれのエアコン１００に与えることによって、遠隔地から特定のエアコンの操作を希望するか、または全てのエアコンの動作を希望するか、固有ＩＤを呼び出してエアコンを選択し操作することができる。
【００１７】
また、公衆電話交換網（ＰＳＴＮ）は、交換局を通じて多数の加入者に音声およびデータ交換サービスを提供する通常の加入電話サービスのための電話網であって、発信者（送信者）がダイヤルして電話番号を入力すると地域交換機（Ｌｏｃａｌ　Ｓｗｉｔｃｈ）が数回スイッチングして該当電話番号に接続し、相手側と電話接続できるようになる。
【００１８】
電子機器２００は、多数台のエアコンの状態データを外部に出力したり、制御命令を入力したりする制御プログラムを駆動する機器であって、公衆電話交換網（ＰＳＴＮ）と接続可能なように有線または無線のモデムを内蔵している。したがって、電子機器２００は、制御プログラムに基づいて制御命令を入力するキー入力部（図示せず）と、制御命令に応じて動作するエアコンの状態データを出力する画面表示部（図示せず）とを含む。
【００１９】
図３に示す第１実施例では、パーソナルコンピュータを電子機器２００の一例として挙げており、遠隔制御者は、ＧＵＩ（Ｇｒａｐｈｉｃ　Ｕｓｅｒ　Ｉｎｔｅｒｆａｃｅ）によりデザインされ操作の便宜性を提供する制御プログラムをパーソナルコンピュータにインストールし、遠隔制御を行うことができる。また、遠隔制御者は、制御プログラムに基づいて入力された制御命令に応じて動作したエアコンの状態データを画面表示部（図示せず）から確認することができる。
【００２０】
遠隔制御者は、電子機器２００を操作し、制御するエアコンと接続された電話番号、制御するエアコンに与えられたＩＤ、制御する制御内容などを含めた制御命令を入力する。
【００２１】
電子機器２００によって入力された制御命令信号は、電子機器のシリアルポートに接続された送信モジュール部３００に伝送される。該送信モジュール部３００は、電子機器２００から入力された制御命令信号を２重トーン多周波数（ＤＴＭＦ）信号に変換する一種のモデムであって、電子機器２００と送信モジュール部３００とのシリアル通信はＲＳ−２３２Ｃ標準にしたがう。
【００２２】
２重トーン多周波数信号（ＤＴＭＦ）とは、ボタン式電話機を押したとき発生し電話局に送られる信号のことを意味する。使用者が押す電話機の各キーは、特定の周波数を有する２つのトーンを作り出すが、その１つは高周波領域のトーンであり、もう１つは低周波領域のトーンを有する。このように生成される２重トーンの周波数を感知することによって、電話機上に設置された多数のボタンのうちどのボタンが入力されたか分析できる。
【００２３】
送信モジュール部３００は、電子機器２００とシリアル通信方式で接続し、電子機器２００から入力された制御命令信号を受信するシリアル通信接続部３１０と、シリアル通信接続部から受信した制御命令信号を２重トーン多周波数信号に変換する信号変換部３２０と、信号変換部で変換された２重トーン多周波数信号を外部に送出するために公衆電話交換網と接続する電話線接続部３３０と、シリアル通信接続部３１０から受信した制御命令信号を公衆電話交換網（ＰＳＴＮ）を通じて送出するように信号流れを制御するマイコン部３４０と、から構成される。
【００２４】
送信モジュール部３００のマイコン部３４０で生成した制御命令信号は、８ビット単位のビット列から構成され、連続したビットの組合によって制御対象エアコンに与えられたＩＤを指定する制御対象パケットＴＸ０と、制御対象エアコンの運転モード、設定温度などの制御内容を指定する制御内容パケットＴＸ１〜ＴＸ５とからなる。このように本発明の公衆電話交換網を利用したエアコン制御システムに適用された制御命令信号の構成図を図４に示す。
【００２５】
制御対象パケットＴＸ０は、整列したビットの組合せに基づいて多数台のエアコンのうち一部を指定してもよく、全部を同時に指定してもいい。若しくは、動作中の多数台のエアコンを同時に初期化して命令を全部解除させることもできる。制御対象パケットＴＸ０は、８ビットを基本単位にし、最上位１ビットは制御命令を送信する機器が電子機器２００か電話機２０１か指定する送信器ＩＤを含み、下位７ビットは多数台のエアコンがそれぞれ有する固有ＩＤ、つまり制御対象を指定している。連続したビット列ＴＸ１〜ＴＸ５は制御内容パケットであって、エアコンの運転モード、設定温度などの制御内容を指定し、中間チェックサム値が追加される。
【００２６】
送信モジュール部３００は、電話線接続部３３０を通じて２重トーン多周波数信号を公衆電話交換網（ＰＳＴＮ）に外部送出し、該当電話番号により接続されたエアコンの受信モジュール部５００は、公衆電話交換網（ＰＳＴＮ）を通じて伝送された２重トーン多周波数信号を受信して該当エアコン１００に伝送する。
【００２７】
受信モジュール部５００は、それぞれのエアコン１００に内蔵または接続されており、電話交換網を通じて伝送される信号を受信および伝達する装置であって、それぞれのエアコン別に与えられた固有ＩＤと同一のＩＤがＤＩＰスイッチ５４０に設定・入力されていると、受信モジュール部５００はＤＩＰスイッチ５４０に設定されていた固有ＩＤを含む制御命令信号を受信する。
【００２８】
このように構成された受信モジュール部５００では、電話線接続部５１０を通じて公衆電話交換網（ＰＳＴＮ）と接続されており、送信モジュール部３００から送信される２重トーン多周波数信号を受信し、この２重トーン多周波数信号を信号デコーディング部５２０に伝送し、エアコンが認識できるような制御命令信号にデコードされる。
【００２９】
また、ＤＩＰスイッチ５４０はそれぞれのエアコン取り付けられており、多数台のエアコンの識別のために固有ＩＤを与え、マイコン部５５０は、電子機器２００の送信モジュール部３００から受信した制御命令信号に内蔵された固有ＩＤとＤＩＰスイッチ５４０に設定・入力されたＩＤが一致すると、受信された２重トーン多周波数信号を信号デコーディング部５２０でデコードし、ここで、デコードした制御命令信号をエアコンに伝送し、制御命令信号に応じて動作した結果のエアコンの状態データを電子機器２００または電話機２０１を通じて出力する。
【００３０】
また、受信モジュール部５００は自動応答部５３０をさらに含み、これは、エアコンから受信した状態データを音声信号に変換する機能を実行するものであって、制御命令信号を送信する送信器が電話機２０１である場合にのみ動作する。
【００３１】
また、本発明の第２実施例は、第１実施例における電子機器２００に代わって電話機２０１から制御命令を入力する場合であって、電話機２０１のボタンが２重トーン多周波数信号を直接送出することから送信モジュール部３００を構成しなくて済むエアコン制御システムを開示している。これを図５を参照して詳細に説明する。
【００３２】
図５の第２実施例は、空気調節のために室内に設置される多数台のエアコン１０１と、２重トーン多周波数（ＤＴＭＦ）信号を生成する多数のボタンを操作して多数台のエアコンへ制御命令の入力を可能にする電話機２０１と、公衆電話交換網（ＰＳＴＮ）を通じて電話機から送出された２重トーン多周波数信号を受信する受信モジュール部５０１と、から構成される。ここで、受信モジュール部５０１は、２重トーン多周波数信号をエアコン１０１に伝送し、制御命令信号に応じて指定したエアコンを動作する。動作したエアコンの状態データを受信して自動応答部５３０で音声変換した後、電話機２０１に送信することによって、遠隔制御者が制御状態および結果を容易に確認できるようにする。本実施例の受信モジュール部５０１も第１実施例と同様に構成される。
【００３３】
以上のように構成された本発明の公衆電話交換網を利用したエアコン制御システムの運用方法を、図６を参照して説明する。
【００３４】
第１段階は、電子機器または電話機を通じて制御しようとするエアコンと接続する電話番号および制御命令信号を入力する。電子機器によって制御命令信号を入力する場合、電子機器と接続された送信モジュール部が制御命令信号を受信する（Ｓ１）。
【００３５】
送信モジュール部は電子機器からの制御命令信号の未受信状態が一定時間以上続くとタイムアウトエラーを発生させ、これを電子機器に知らせる（Ｓ１ａ）。また、制御命令信号からエラーが検出されると、これを電子機器に知らせ、再伝送を要請し（Ｓ１ｂ）、最終的に送信モジュール部がエラーのない制御命令信号を受信すると、これを電子機器に知らせる（Ｓ１ｃ）。
【００３６】
第２段階は、第１段階で入力された制御命令信号が、２重トーン多周波数信号に変換された後、公衆電話交換網を通じて制御しようとするエアコンと接続された電話番号に送信される（Ｓ２）。この第２段階は、第２実施例のように、２重トーン多周波数信号が、直接送出される電話機を通じて遠隔制御をする場合には省略される。
【００３７】
第３段階は、指定されたエアコンと接続された受信モジュール部が第２段階で送信された２重トーン多周波数信号を受信すると、２重トーン多周波数信号の最初の受信時からタイマーを動作させ信号の受信状態を確認し、未受信状態が一定時間以上続くと、タイムアウトエラーを発生させ、送信モジュール部側に再伝送を要請する（Ｓ３）。また、２重トーン多周波数信号が受信される中間時点と完了時点でチェックサム（ｃｈｅｃｋ　ｓｕｍ）を確認し、伝送エラーをチェックする（Ｓ３ａ）。
【００３８】
チェックサムは、伝送されるデータの正確性を検査のためのビット数の合計であって、送信モジュール部が制御命令信号の最後（ｔａｉｌ）において制御命令信号に含まれる全てのデータのビット数の合計を追加し、受信モジュール部は制御命令信号を受信しながらデータのビット数を１つずつ合算して合算と制御命令信号の最後に内蔵されたビット数の合計とが一致するかチェックすることをいう。
【００３９】
第４段階では、第３段階で受信された２重トーン多周波数信号をエアコンが認識できるような制御命令信号にデコードした後、エアコンに伝送する。このため、受信モジュール部は、２重トーン多周波数信号に内蔵されるエアコンのＩＤとＤＩＰスイッチが与えたエアコンのＩＤとが一致するか比較し、一致すると２重トーン多周波数信号を制御命令信号にデコードした後、該当エアコンの主制御部に伝送する（Ｓ４）。
【００４０】
第５段階は、第４段階で伝送された制御命令信号に応じてエアコンが制御動作を行い、その制御動作後の状態データを生成して受信モジュール部に伝送する。このとき、受信モジュール部は、制御命令信号に内蔵された送信器ＩＤが電子機器に該当するとその状態データを電子機器に送信し、送信器ＩＤが電話機に該当するとその状態データを音声データに変換した後、電話機に送信する（Ｓ５）。
【００４１】
受信モジュール部は、伝送エラーをチェックしながらエアコンから伝送された状態データを受信し、これを再び公衆電話交換網を通じて電子機器または電話機に送信する（Ｓ５ａ）。
【００４２】
電子機器または電話機の送信モジュール部は、伝送エラーをチェックしながら受信モジュール部から伝送される状態データを受信することによって、電話機は音声で、電子機器は画面にそれぞれエアコンの状態データを出力し、遠隔制御者が制御状態および結果を確認できるようにする（Ｓ５ｂ）。
【００４３】
【発明の効果】
以上の如く、本発明の公衆電話交換網を利用したエアコン制御システムおよびその運用方法は、同一の電話網を使用する多数台のエアコンそれぞれに相異なる固有ＩＤを与えた受信モジュール部を接続し、該受信モジュール部は電子機器または電話機を操作する遠隔制御者の制御命令信号を受信してエアコンに伝送することによって多数台のエアコンのさまざまな機能を遠隔制御できるようにしてあるので、エアコン管理および操作の便宜性を提供すると同時に、室内の空気調節管理にかかる時間・人力・コストを節減することができ、経済的である。
【図面の簡単な説明】
【図１】従来技術による、公衆電話交換網を利用したエアコン制御システムの全体構成図である。
【図２】本発明の公衆電話交換網を利用したエアコン制御システムの全体構成図である。
【図３】本発明の公衆電話交換網を利用したエアコン制御システムの第１実施例の構成図である。
【図４】本発明の公衆電話交換網を利用したエアコン制御システムに適用された制御命令信号の構成図である。
【図５】本発明の公衆電話交換網を利用したエアコン制御システムの第２実施例の構成図である。
【図６】本発明の公衆電話交換網を利用したエアコン制御システムの運用方法を示す信号流れ図である。
【符号の説明】
１００…エアコン
２００…電子機器
２０１…電話機
３００…送信モジュール部
３１０…シリアル通信接続部
３２０…信号変換部
５００…受信モジュール部
５２０…信号デコーディング部
５３０…自動応答部
５４０…ＤＩＰスイッチ
【図１】
2004135266.tif 000003
【図２】
2004135266.tif 000004
【図３】
2004135266.tif 000005
【図４】
2004135266.tif 000006
【図５】
2004135266.tif 000007
【図６】
2004135266.tif 000008